(57)【特許請求の範囲】
【請求項１】
光源から出射される光を入力映像信号に基づき変調する光変調素子と、前記光変調素子から出射される光を投写面上に投写映像として投写する投写光学系とを備える投写型映像表示装置であって、
前記投写映像を複数の画面に分割する分割手段と、
前記分割手段により分割された複数の画面それぞれに前記入力映像信号に基づく映像を前記光変調素子を制御することにより表示させる素子駆動手段と、
前記素子駆動手段により表示される複数の画面の数、配置、サイズ及び向きをそれぞれ変更可能とした投写モードを選択する操作部と、
を備えることを特徴とする投写型映像表示装置。
【請求項２】
請求項１に記載の投写型映像表示装置において、前記光変調素子から出射させる光は、水平面に設けられる前記投写面に投写されることを特徴とする投写型映像表示装置。
【請求項３】
請求項２に記載の投写型映像表示装置において、前記操作部により変更される複数の画面の向きは、前記投写映像の周辺側が正面となるようにそれぞれの画面の向きを調整することを特徴とする投写型映像表示装置。
【請求項４】
請求項１乃至３に記載の投写型映像表示装置において、前記入力映像信号は、複数種類の入力映像信号で構成されており、前記素子駆動手段により表示される複数の画面は、前記複数種類の入力映像信号のうち、少なくとも２以上の入力映像信号を選択して表示することを特徴とする投写型映像表示装置。
【発明の詳細な説明】
【技術分野】
【０００１】
本発明は、個別に映像信号処理された複数の映像信号データを合成し、これを一つの映像として投写する投写型映像表示装置及びこれを用いた投写型映像表示システムに関する。
【背景技術】
【０００２】
従来より、投写される投写画面が複数の分割画面に形成され、この分割画面にはそれぞれ別個の映像が表示されるとともに、これら映像が同時に表示される映像表示装置が知られている。この映像表示装置では、入力処理された複数の映像信号データを、映像信号データ毎にメモリに格納し、メモリに格納された映像信号データを画質補正するとともに、必要なサイズ、位置に調整した上で合成して一つの映像として表示している。
【０００３】
このような映像表示装置としては、例えば特許文献１に記載のテレビが知られている。なお、テレビと同様の表示技術を用いる投写型映像表示装置においても、複数の映像信号データを接続できる入力コネクタを備え、入力された映像信号データを、独立的に映像信号処理して分割画面に必要なサイズ、位置へと調整した上で合成して一つの映像として投写するものが知られている。
【０００４】
なお、一つの映像信号データから複数の映像信号データを生成し、この複数の映像信号データを、独立的に映像信号処理して分割画面に必要なサイズ、位置へと調整した上で合成し、一つの映像として投写する投写型表示装置は開発されていない。その理由は、一つの映像を複数画面に同時に表示させる必要があるのは多人数を対象に映像を表示する場合であって、この場合には、従来、分散配置された複数の投写型表示装置に同一の映像を同時に表示するシステムが用いられており、格別の不便が感じられていなかったからである。
【特許文献１】特開２００１−８６３６７号公報
【特許文献２】特開２００４−８５７５２号公報
【発明の開示】
【発明が解決しようとする課題】
【０００５】
ところが、投写型映像表示装置は、近年短焦点化され、上方から下方の机上面などの水平面に手軽に映像を投写できるようになった。このため、机上面や床面を投写面として映像を表示させて会議や展示説明会を進めたいという要望が生じている。一方、特許文献２などに記載されている従来の短焦点型の投写型映像表示装置１０１は、図１１（ａ）及び同図（ｂ）に示すように、一つの入力情報を一つの映像として一つの画面１０２に表示する一入力一画面表示であって、例えば机上面１０３に投写するものが一般的であった。したがって、例えば会議等の出席者１０４全員に対して見やすい映像を供することができないという問題があった。
【０００６】
また、このような、短焦点型の投写型映像表示装置において、特許文献１に記載の技術に倣って、複数の分割画面に同一映像を表示させることが考えられる。しかし、特許文献１などで知られている映像表示装置は、映像を表示する投写画面は複数に分割されているが、分割画面に表示される全ての映像が同一の向きで表示される。したがって、特許文献１に記載の技術を応用して投写型映像表示装置を製作すると、図１２に示すように、投写型映像表示装置１１１は、複数の外部映像信号発生器から入力した情報を、例えば机上面１１２に投影される分割画面１１３に同一方向にしか映像を表示することができないものとなる。このため、出席者１１４の全員に見やすい映像を提供することができず、複数映像を異なる分割画面１１３に同時に表示する用途が少ないものとなっていた。
【０００７】
本発明は、このような背景の下に成されたものであって、一つの映像として投写される投写画面を複数の分割画面に分割し、複数の分割画面に同一映像を位置と向きを調整して同時に表示することを可能にした投写型映像表示装置を提供することを目的とする。また、一つの映像として投写される投写画面を複数の分割画面に分割し、複数の分割画面に異なる映像を位置と向きを調整して同時に表示することを可能にした投写型映像表示装置を提供することを目的とする。
【課題を解決するための手段】
【０００８】
本発明に係る請求項１記載の投写型映像表示装置は、光源から出射される光を入力映像信号に基づき変調する光変調素子と、前記光変調素子から出射される光を投写面上に投写映像として投写する投写光学系とを備える投写型映像表示装置であって、前記投写映像を複数の画面に分割する分割手段と、前記分割手段により分割された複数の画面それぞれに前記入力映像信号に基づく映像を前記光変調素子を制御することにより表示させる素子駆動手段と、前記素子駆動手段により表示される複数の画面の数、配置、サイズ及び向きをそれぞれ変更可能とした投写モードを選択する操作部と、を備えることを特徴とする。
【００１０】
また、本発明に係る請求項２記載の投写型映像表示装置は、請求項１に記載の投写型映像表示装置において、前記光変調素子から出射させる光は、水平面に設けられる前記投写面に投写されることを特徴とする。
【００１２】
また、本発明に係る請求項３記載の投写型映像表示装置は、請求項２に記載の投写型映像表示装置において、前記操作部により変更される複数の画面の向きは、前記投写映像の周辺側が正面となるようにそれぞれの画面の向きを調整することを特徴とする。
【００１４】
また、本発明に係る請求項４記載の投写型映像表示装置は、請求項１乃至３に記載の投写型映像表示装置において、前記入力映像信号は、複数種類の入力映像信号で構成されており、前記素子駆動手段により表示される複数の画面は、前記複数種類の入力映像信号のうち、少なくとも２以上の入力映像信号を選択して表示することを特徴とする。
【発明の効果】
【００２１】
本発明に係る投写型映像表示装置によれば、一入力多画面表示、多入力個別画面表示、又は、多入力多画面表示を行うことができるので、情報の伝達や利用を効率よく行うことができる。
【発明を実施するための最良の形態】
【００２２】
(実施の形態１)
本発明の実施の形態１に係る投写型映像表示装置は、短焦点型の３板式の液晶プロジェクタであって、同一映像を、複数（本実施の形態では四つまで）の分割画面に対し、映像として表示する分割画面の位置と向きに調整して同時に表示する一入力多画面表示を可能にしたものである。本発明の実施の形態１に係る投写型映像表示装置としての液晶プロジェクタ及びこれを用いた投写型映像表示システムについて、図面に基づいて詳細に説明する。
【００２３】
本実施の形態に係る液晶プロジェクタ１は、図１に示すように、外部映像信号発生器２から映像信号データを入力する入力コネクタ３を備えている。また、液晶プロジェクタ１は、入力された映像信号データを入力処理する入力部４と、投写モード等を選択する操作部５と、操作部５において選択された投写モードに従い入力部４からの映像信号データを映像信号処理する映像信号処理部６と、液晶パネルを駆動するための液晶駆動回路部７とを備えている。なお、映像信号処理部６で処理された映像信号データは、Ｄ／Ａ変換器（図示省略）によりＤ／Ａ変換され、アナログ映像信号データとして液晶駆動回路部７に入力される。さらに、この液晶プロジェクタ１は、全体を制御するための制御部８、液晶パネルで光変調された映像光を投写する投写部９などを有している。
【００２４】
入力コネクタ３としては、コンピュータからのアナログＲＧＢ信号（コンピュータ入力信号）を入力するための映像信号入力コネクタと、ＡＶ入力信号（コンポジットビデオ信号）を入力するための映像信号入力コネクタを備えている。
【００２５】
入力部４は、入力されたアナログＲＧＢ信号（コンピュータ入力信号）をデジタルＲＧＢ信号に変換する。また、入力されたＡＶ入力信号を輝度信号と色信号に分離してアナログＲＧＢ信号に変換し、その後デジタルＲＧＢ信号に変換する。そして、デジタルＲＧＢ信号に変換した入力信号を映像信号処理部６に出力している。
【００２６】
操作部５は、電源キー、入力信号をアナログＲＧＢ信号（コンピュータ入力信号）とＡＶ入力信号（コンポジットビデオ信号）とに切り替える入力切替キー、メニュー画面を表示するメニューキー等を有している。そして、このメニューキーの内容の一部として投写モードを選択できるように構成されている。投写モードは、投写画面を分割する分割画面の数、配置、大きさ及び向きを予め設定したものである。なお、この実施の形態においては、分割画面の数は４個が最大であり、３個以下の分割画面数も選択可能とされている。また、操作部５で選択された投写モード情報は、制御部８を介し映像信号処理部６に送信される、
映像信号処理部６は、操作部５において選択された投写モード情報に基づき映像信号データを映像信号処理するものであって、図２に示すように構成されている。すなわち、映像信号処理部６は、入力部４からの映像信号データを、選択された投写モードの分割画面数に対応する数（本実施の形態では４個以下）の映像信号処理回路に分配する分配部６１、４個の映像信号処理回路を成す第１映像信号処理回路６２〜第４映像信号処理回路６５を有する。また、映像信号処理部６は、これら映像信号処理回路６２，６３，６４，６５で処理された映像信号データを合成する合成部６６を備えている。各映像信号処理回路６２，６２，６４，６５は、選択された投写モード情報に従い、映像信号データを映像として表示する画面サイズへデータ変換するとともに、画質補正などの一般的な映像信号処理を行う前段映像信号処理部６２ａ、６３ａ、６４ａ、６５ａを備えている。また、各映像信号処理回路６２，６２，６４，６５は、前段映像信号処理部６２ａ、６３ａ、６４ａ、６５ａで処理された映像信号データを同期を取るために一旦保存するメモリ６２ｂ，６３ｂ，６４ｂ，６５ｂを備えている。さらに、各映像信号処理回路６２，６２，６４，６５は、各メモリ６２ｂ，６３ｂ，６４ｂ，６５ｂに蓄えられた映像信号データを、表示する投写画面上での向きに合わせて読み出す後段映像信号処理部６２ｃ，６３ｃ，６４ｃ，６５ｃを備えている。また、後段映像信号処理部６２ｃ，６３ｃ，６４ｃ，６５ｃは、変換された映像信号データを、投写する画面内の表示位置に調整して合成部６６に出力している。
【００２７】
次に、以上のように構成された液晶プロジェクタ１における映像表示手順について、図３の模式的流れ図及び図４の分割画面の配置図に従い説明する。運転の開始に当たり、操作部５でメニューキーを操作し（ステップＳ１）、メニュー画面において、外部映像信号発生器から入力信号を得るための入力切替操作を行うとともに、使用者により使用目的に対応した投写モードが選択される（ステップＳ２）。投写モードは、この実施の形態においては図４に示すような画面の数、配置及び向きが選択されるものとする。なお、この実施の形態における液晶プロジェクタ１では４個の映像信号処理回路６２，６３，６４，６５が備えられていることから、画面数４個以下の画面数の配置、向きが選択可能に設定されている。
【００２８】
操作部５で入力切替操作が行われたことにより得られた所望の映像信号データは、入力部４において入力信号処理が行われ（ステップＳ３）、デジタルＲＧＢ信号として映像信号処理部６に出力される。映像信号処理部６に入力された映像信号データは、分配部６１でにより、操作部５で選択された投写モードにおいて定められる画面数に対応する映像信号処理回路（この場合４個、すなわち、第１映像信号処理回路６２〜第４映像信号処理回路６５）に分配される（ステップＳ４）。分配された映像信号データは、前段映像信号処理部６２ａ，６３ａ，６４ａ，６５ａにおいて、映像を表示する画面サイズへデータ変換されるとともに、画質補正などの一般的な映像信号処理が行われ（ステップＳ５）、メモリ６２ｂ，６３ｂ，６４ｂ，６５ｂに蓄えられる（ステップＳ６）。蓄えられた映像信号データは、後段映像信号処理部６２ｃ，６３ｃ，６４ｃ，６５ｃにより投写される画面上での向きに合わせて読み出されるとともに、変換された映像信号データを投写画面内の表示する位置に調整して合成部６６に出力される（ステップＳ７）。各映像信号処理回路６２，６３，６４，６５から出力された映像信号データは、合成部６６において一つの映像信号データに合成され（ステップＳ８）、合成された映像信号データが液晶駆動回路に出力される（ステップＳ９）。このように処理されることにより、投写画面が複数の分割画面１１（この場合４個の画面、後述の図４参照）に分割されるとともに、分割画面１１の位置、サイズ、向きに調整された複数の同一映像が一つの映像として投写される（ステップＳ１０）。
【００２９】
図４は、このような液晶プロジェクタ１を用いた会議用の投写型映像表示システムの例である。すなわち、１台の外部映像信号発生器２から入力した映像信号データは、複数の分割画面１１に同時に表示された一つの映像として上方から机上面１２に投写される。また、この投写型映像表示システムでは、各分割画面１１に表示される映像は、投写画面１３の周辺側が正面となるように向きを調整して配置されている。
【００３０】
実施の形態１に係る液晶プロジェクタ１及び投写型映像表示システムは、以上のように構成されているので次のような効果を奏することができる。
（１）実施の形態１に係る液晶プロジェクタ１は、投写モードの選択により、一つの入力情報を複数の画面にその位置及び向きを調整して同時に表示する一入力多画面表示することができる。また、この液晶プロジェクタ１は、投写モードの選択により、映像信号データを分配部６１を介し一つの映像信号処理回路、例えば第１映像信号処理回路６２に出力するようにすると、最も基本的な使用モードである一入力一画面表示も可能である。
【００３１】
（２）実施の形態１に係る液晶プロジェクタ１を用いた投写型映像表示システムは、４個に分割した分割画面１１に同一映像を同時に表示するとともに、投写画面１３の周辺側が正面となるように映像の向きを調整して配置しているものであり、このように投写される映像が上方から下方に投写されている。したがって、投写画面を見ている人に対し見やすい映像を提供することができる。
【００３２】
（３）また、実施の形態１に係る投写型映像表示システムは、このような映像を会議室の机上面１２に投写するものであり、各分割画面１１に表示される映像の向きは、投写画面１３の周辺側が正面となるように表示されているので、出席者１４全員が見やすい角度から各分割画面１１を見ることができる。したがって、投写される一つの映像を通じて情報伝達や情報を媒介とした議論を効率よく行うことができる。また、これにより会議の効率を上げることができる。
【００３３】
（実施の形態２）
実施の形態２に係る投写型映像表示装置は、複数種の映像を組み合わせた組合せ映像を投写画面の周辺から見やすい状態に表示する多入力多画面表示を可能にしたものである。以下、本発明の実施の形態２に係る投写型映像表示装置及び投写型映像表示システムについて、図５〜図７に基づいて詳細に説明する。なお、図５は、実施の形態２に係る液晶プロジェクタの概略構成を示す機能ブロック図であり、図６は、同液晶プロジェクタにおける映像信号処理部の概略構成を示すブロック図であり、図７は、同液晶プロジェクタを用いた会議用の投写型映像表示システムにおいて投写される映像例図である。なお、これら図面において、実施の形態１におけると同一の構成要素には同一の符号を付し、その説明を省略する。
【００３４】
実施の形態２に係る液晶プロジェクタ１は、実施の形態１の場合と比較すると、接続する外部映像信号発生器を複数台（本実施の形態では２台）とし、複数（本実施の形態では二つまで）の映像信号データを取り込むように構成されている点が基本的な相違点である。このために、第１外部映像信号発生器２ａを接続するための第１入力コネクタ３ａと、第２外部映像信号発生器２ｂを接続するための第２入力コネクタ３ｂとを備えている。なお、第１入力コネクタ３ａ及び第２入力コネクタ３ｂは、実施の形態１における入力コネクタ３と同様に、コンピュータからのアナログＲＧＢ信号（コンピュータ入力信号）を入力するための映像信号入力コネクタと、ＡＶ入力信号（コンポジットビデオ信号）を入力するための映像信号入力コネクタを備えている。
【００３５】
第１外部映像信号発生器２ａ及び第２外部映像信号発生器２ｂからの映像信号データを入力処理するために、第１入力部４ａと第２入力部４ｂとが設けられている。第１入力部４ａ及び第２入力部４ｂは、実施の形態１における入力部４と同様の入力信号処理を行うものである。
【００３６】
また、この実施の形態における映像信号処理部６は、図６に示すように、第１入力部４ａ及び第２入力部４ｂで入力信号処理された映像信号データを各映像信号処理回路６２，６３，６４，６５に分配するために、それぞれの映像信号データについての分配部６１ａ，６１ｂが設けられている。そして、各分配部６１ａ，６１ｂから出力された映像信号データは、各映像信号処理回路６２，６３，６４，６５において、実施の形態１と同様の映像信号処理が行われる。この実施の形態においては、操作部５において図７に示すような映像が得られるような投写モードが選択されている。したがって、第１入力部４ａと第２入力部４ｂで入力処理された各映像信号データは、分配部６１ａ，６１ｂによりそれぞれ２個の映像信号処理回路に分配される。
【００３７】
実施の形態２に係る液晶プロジェクタ１は、第１外部映像信号発生器２ａ及び第２外部映像信号発生器２ｂからの映像信号データが、それぞれ実施の形態１に係る液晶プロジェクタ１の場合と同様に処理される。そして、各後段映像信号処理部６２ｃ，６３ｃ，６４ｃ，６５ｃにおいて、図７のパターンの映像が得られるように、映像信号データを４個の分割画面１１のサイズ、位置、向きに調整して読み出され、合成部６６において一つの映像が得られるように合成される。
【００３８】
また、以上のように構成された実施の形態２に係る液晶プロジェクタ１を用いた会議用の投写型映像表示システムは、図７に示すように、会議用の机上面１２に２個の映像信号データから得られる映像を隣り合わせに同一の向きに並べたものを一つの組合せとして、二組の映像が机上面１２において対向する形に配置されている。また、分割画面１１に個別に表示される映像がこのように配列されて一つの映像として投写画面１３に投写されることにより、会議出席者１４は二人ずつが対面して座席に着くように構成されている。
【００３９】
実施の形態２に係る液晶プロジェクタ１及び投写型映像表示システムは、以上のように構成されているので次のような効果を奏することができる。
（１）操作部５における投写モードの選択により、一つの映像として投写される投写画面を複数の分割画面１１に分割し、次の各種の表示を可能とする。すなわち、複数の映像を個別に分割画面１１に同時に表示するものであって、各表示される映像を、分割画面１１の位置と向きに調整して表示する多入力個別画面表示を行うことができる。また、複数の映像を個別に分割画面１１に同時に表示するととともに、分割画面１１に表示される映像を組み合わせた組合せ映像とし、この組合せ映像を分割画面１１の位置と向きに調整して表示することにより、この組合せ映像を投写画面１３の周辺から見やすい状態に表示する多入力多画面表示を行うことができる。また、接続する外部映像信号発生器を１台とする投写モードを選択することにより、前述の一入力多画面表示や一入力一画面表示を行うことができる。
【００４０】
（２）また、この実施の形態に係る投写型映像表示システムによれば、一つの映像として上方から下方に投写される投写画面が複数の分割画面に分割され、さらに、選択された投写モードに従って複数種の映像を組み合わせて分割画面１１に表示した組合せ映像が形成されている。また、この組合せ映像が投写画面１３の周辺側が正面となるように向きを調整して分割画面に表示されている。したがって、複数種の映像を組み合わせた組合せ映像を投写画面の周辺から見やすい状態に表示する多入力多画面表示を行うことができる。また、この表示システムを利用することにより、利用者全員が見やすい角度から複数の映像情報を同時に見ることができるので、投写される映像を通しての情報伝達や情報を媒介とした議論をより効率よく行うことができる。また、このような投写型映像表示システムが会議に利用されると、会議を効率よく進めることができる。
【００４１】
（変形例）
本発明は、上記実施の形態において以下のように変更することもできる。
（１）実施の形態１において、分割画面数及びこの画面数に対応する映像信号処理回路数は４個であるが、これらを他の適当な数とすることができる。例えば、分割画面数及び映像信号処理回路数を３以下の構成としたり５以上の構成とすることができる。また、このような液晶プロジェクタを使って投写型映像表示システムを構築すると、例えば、分割画面数及び映像信号処理回路数を２とした場合は、図８のよう分割画面の配置例となり、分割画面数及び映像信号処理回路数を５とした場合は、図９のよう分割画面の配置例図となる。
【００４２】
（２）また、実施の形態１において、装置の構成をそのままとし、操作部において分割画面数を４以下の数とする投写モードを選択することができるが、この場合において、例えば分割画面数を２とした場合の分割画面１１の配置例は、例えば前述の図８のようになる。
【００４３】
（３）また、実施の形態２においては、操作部において二つの映像信号データをそれぞれ２個の映像信号処理回路に分配しているが、このような分配を行わずに単に１個の映像信号処理回路にのみ接続するようにしてもよい。また、この場合の分割画面１１の配置例は、例えば図１０のようになる。
【００４４】
（４）実施の形態２において外部映像信号発生器の数及びこの数に対応する入力部、分配部及び映像信号処理回路を増加させてもよい。例えば、外部映像信号発生器を３台とした場合は、入力部及び分配部を３個とするとともに、映像信号処理回路を６個とし、投写画面の分割画面数を６とすれば、三つの映像を組み合わせた２組の組合せ映像を形成することができる。また、このような２組の組合せ映像は、例えば、図７に準じ向かい合わせにして表示することができる。
【００４５】
（５）また、外部映像信号発生器を２台としたままで、二つの映像を組み合わせた組合せ映像を３組形成することもできる。この場合は、映像信号処理回路を６個とし、映像信号データを二つの分配部６１ａ，６１ｂでそれぞれ３個の映像信号処理回路に分配するようにする。また、この場合は、１組の組合せ映像を液晶プロジェクタ１の向かい側に配置すれば、各組合せ映像を見やすい配置とすることができる。
【００４６】
（６）また、実施の形態２において、映像信号処理回路を２個に減らすとともに、第１分配部６１ａ及び第２分配部６１ｂを廃止し、第１外部映像信号発生器２ａ及び第２外部映像信号発生器２ｂを２個に減らした映像信号処理回路に対し入力部を介し別個に接続するようにしてもよい。このようにすると、分割画面数を２個とした多入力個別画面表示、すなわち、２入力個別画面表示の液晶プロジェクタ１とすることができる。また、このような液晶プロジェクタ１を使って投写型映像表示システムを構築すると、例えば、前述の図１０のような分割画面の配置例となる。
【００４７】
（７）上記実施の形態においては、投写型映像表示装置として３板式の液晶プロジェクタ１を示したが、他の映像光生成系を備える液晶プロジェクタ１においても、本発明を適用することができる。
【００４８】
（８）また、上記実施の形態においては、液晶プロジェクタ１を上方から机上面１２に投射させたが、例えば、机の天面をガラス等の透明材料で形成し、液晶プロジェクタ１を下方から机上面１２に投写させる構成にしてもよい。
【００４９】
（９）また、各上記実施の形態においては、投写型映像表示装置として光変調素子に液晶パネルを用いた液晶プロジェクタ１を示したが、これに限定されるものではなく、他の画像光生成系を備えた投写型プロジェクタとしてもよい。例えば、ＤＬＰ（Digital Light Processing）（テキサス・インスツルメンツ（ＴＩ社）の登録商標）方式のプロジェクタを本発明に適用してもよい。
【産業上の利用可能性】
【００５０】
本発明に係る投写型映像表示装置は、会議室、研修室、教室、娯楽場、各種展示室、スタジオなど多方面の施設における映像表示システムとして利用することができる。
【図面の簡単な説明】
【００５１】
【図１】本発明の実施の形態１に係る投写型映像表示装置としての液晶プロジェクタの概略構成を示す機能ブロック図である。
【図２】同液晶プロジェクタにおける映像信号処理部の概略構成を示す機能ブロック図である。
【図３】同液晶プロジェクタにおける映像表示手順についての模式的流れ図である。
【図４】同液晶プロジェクタを用いた投写型映像表示システムにおける分割画面の配置例図である。
【図５】本発明の実施の形態２に係る投写型映像表示装置としての液晶プロジェクタの概略構成を示す機能ブロック図である。
【図６】同液晶プロジェクタにおける映像信号処理部の概略構成を示す機能ブロック図である。
【図７】同液晶プロジェクタを用いた投写型映像表示システムにおける分割画面の配置例図である。
【図８】変形例に係る投写型映像表示システムにおける分割画面の配置例図である。
【図９】他の変形例に係る投写型映像表示システムにおける分割画面の配置例図である。
【図１０】他の変形例に係る投写型映像表示システムにおける分割画面の配置例図である。
【図１１】従来例に係る短焦点型液晶プロジェクタの設置例図であり、（ａ）は側面図であり、（ｂ）は平面図である。
【図１２】参考例に係る短焦点型液晶プロジェクタの設置例図における平面図である。
【符号の説明】
【００５２】
１…（投写型映像表示装置としての）液晶プロジェクタ、２…外部映像信号発生器、２ａ…第１外部映像信号発生器、２ｂ…第２外部映像信号発生器、３…入力コネクタ、３ａ…第１入力コネクタ、３ｂ…第２入力コネクタ、４…入力部、４ａ…第１入力部、４ｂ…第２入力部、５…操作部、９…投写部、１１…分割画面、１２…机上面、１３…投写画面、６１…分配部、６１ａ…第１分配部、６１ｂ…第２分配部、６２…第１映像信号処理回路、６３…第２映像信号処理回路、６４…第３映像信号処理回路、６５…第４映像信号処理回路、６６…合成部。
【図１】
0005294670.tif 000002
【図２】
0005294670.tif 000003
【図３】
0005294670.tif 000004
【図４】
0005294670.tif 000005
【図５】
0005294670.tif 000006
【図６】
0005294670.tif 000007
【図７】
0005294670.tif 000008
【図８】
0005294670.tif 000009
【図９】
0005294670.tif 000010
【図１０】
0005294670.tif 000011
【図１１】
0005294670.tif 000012
【図１２】
0005294670.tif 000013